(57)【要約】【課題】  複数本の吊りロープのテンションを正確かつ簡単にしかも同時に測定できるとともに作業性に優れたエレベータのロープテンション測定装置およびその装置を用いたロープテンション測定方法を提供すること。【解決手段】  ロープテンション測定装置６は、一側面に凹部７ａが形成された支持枠７と、この支持枠７の凹部７ａに充填された粘土状物質９とを備えてなる。このロープテンション測定装置６を作業員がハンドル８，８を持って、並設された複数本の吊りロープ３ａ，３ｂ，３ｃに押し付ける作業を行ない、その押し付けにより粘土状物質９に形成された凹みの大きさによって複数本の吊りロープ３ａ，３ｂ，３ｃにおけるテンションの強弱を測定する。【選択図】  図２
2005067835.tif 000002
【特許請求の範囲】
【請求項１】
一側面に凹部が形成された支持枠と、この支持枠の凹部に充填され、並設された複数本の吊りロープが同時に押し付けられて凹みを形成する粘土状物質とを備えてなるエレベータのロープテンション測定装置。
【請求項２】
前記支持枠の凹部の内面に多数の突起が形成されていることを特徴とする請求項１に記載のエレベータのロープテンション測定装置。
【請求項３】
前記ロープテンション測定装置の粘土状物質を、並設された複数本の吊りロープに押し付ける作業を行ない、その押し付けにより前記粘土状物質に形成された凹みの大きさによって前記複数本の吊りロープにおけるテンションの強弱を測定することを特徴とする請求項１に記載のロープテンション測定装置を用いたロープテンション測定方法。
【発明の詳細な説明】
【技術分野】
【０００１】
本発明は、エレベータのロープテンション測定装置およびその装置を用いたロープテンション測定方法に関する。
【背景技術】
【０００２】
エレベータは、一般的に昇降路の頂部に巻上機が設置され、この巻上機のシーブに巻き掛けられた主ロープの一端部に乗りかごが吊下げられるとともに主ロープの他端部に釣り合い重りが吊下げられてつるべ式に構成され、巻上機が制御装置により駆動制御されることにより乗りかごおよび釣り合い重りが昇降路内を昇降するようになっている。
【０００３】
乗りかごおよび釣り合い重りを吊下げる主ロープは、通常、複数本の吊りロープで構成されており、各吊りロープに吊下げ荷重を均等に分担させている。このため各吊りロープが吊下げ荷重を均等に分担しているかどうかを測定する必要があり、ロープテンションを測定することにより行なわれる。
【０００４】
ロープテンションの測定は、作業員が乗りかご上部に乗り、バネばかりで一本の吊りロープを、直尺を用いて所定距離引っ張り、そのときのバネばかり数値でテンションを確認し、また他の吊りロープについても同様の作業を行ない、各吊りロープに対して同一距離を引っ張ったときのバネばかりの数値の比較でテンションの強弱を判定していた。
【０００５】
このようなロープテンションの測定は、主ロープを構成する複数本の吊りロープの一本一本について行なわなければならないので、作業性が悪いという問題がある。
【０００６】
そこで、複数本の吊りロープに押し付けられる押し棒と、この押し棒に付属する圧縮スプリングおよび測定針とを有する押出し機構を設け、この押出し機構を各吊りロープに押し付け、各吊りロープの反力を測定針で表示することにより、複数本の吊りロープのテンションを同時に測定する装置が提案されている。
【特許文献１】特開平６−３４５３５７号
【発明の開示】
【発明が解決しようとする課題】
【０００７】
しかしながら、この場合、測定装置は、乗りかごの吊りロープに近い位置に設置し、次いで各押出し機構を個々に調整しながら複数本の吊りロープに押し付ける作業等が必要であり、テンションを測定するまでの準備作業に時間を要するという問題がある。
【０００８】
そこで本発明は、上記の問題を解決するためになされたもので、複数本の吊りロープのテンションを正確かつ簡単にしかも同時に測定できるとともに作業性に優れたエレベータのロープテンション測定装置およびその装置を用いたロープテンション測定方法を提供することを目的とする。
【課題を解決するための手段】
【０００９】
上記の課題を解決するため、本発明によるエレベータのロープテンション測定装置は、一側面に凹部が形成された支持枠と、この支持枠の凹部に充填され、複数本の吊りロープが同時に押し付けられて凹みを形成する粘土状物質とを備えてなることを特徴とする。
【００１０】
本発明によるロープテンション測定方法は、請求項１に記載のロープテンション測定装置の粘土状物質を、並設された複数本の吊りロープに押し付ける作業を行ない、その押し付けにより粘土状物質に形成された凹みの大きさによって複数本の吊りロープにおけるテンションの強弱を測定することを特徴とする。
【発明の効果】
【００１１】
本発明によれば、複数本の吊りロープにおけるテンションの強度が同時に測定でき、しかも粘土状物質に形成された凹みの大きさにより複数本のロープテンションの強弱を目視により確認することができる。また粘土状物質の凹みを平らに修正する準備作業およびロープテンション測定装置を複数本の吊りロープに同時に押し付ける作業を行なうだけでロープテンション測定を行なうことができ、測定作業を簡素化できる。
【発明を実施するための最良の形態】
【００１２】
図１は本発明の一実施の形態にかかるエレベータのロープテンション測定装置を用いて主ロープのロープテンションを測定している状態を示す概略構成図、図２は図１の主要部を拡大して示す斜視図、図３は図２に示すロープテンション測定装置の平面図である。
【００１３】
図１および図２において、エレベータは、昇降路の頂部に巻上機１およびソラセシーブ２が設置され、この巻上機１のシーブおよびソラセシーブ２に複数本の吊りロープ３ａ，３ｂ，３ｃからなる主ロープ３が巻き掛けられている。主ロープ３の一端部には乗りかご４が吊下げられ、主ロープ３の他端部に吊下げられた釣り合い重り５との間でつるべ式に構成され、巻上機１が図示しない制御装置により駆動制御されることにより、乗りかご４および釣り合い重り５が昇降路内を昇降するようになっている。
【００１４】
ここで、乗りかご４および釣り合い重り５を吊下げている主ロープ３の各吊りロープ３ａ，３ｂ，３ｃが吊下げ荷重を均等に分担しているかどうかを測定する際には、本実施の形態にかかるロープテンション測定装置６を用いて行なわれる。
【００１５】
本実施の形態にかかるロープテンション測定装置６は、図３に示すように、支持枠７、ハンドル８，８および粘土状物質９からなっている。支持枠７は箱型をなし、その両側に取手状のハンドル８，８が設けられている。なお、このハンドル８，８は支持枠７の背面に設けてもよい。支持枠７の前面（一側面）には、上下方向に連続する凹部７ａが形成されており、この凹部７ａ内に粘土状物質９が充填されている。粘土状物質９は、粘土あるいは合成樹脂等の塑性変形が可能な材料で形成されており、適宜に設定された粘度を保持して凹部７ａ内に充填され、凹部７ａ面に形成された多数の突起７ｂにより、凹部７ａ内に保持されている。この粘土状物質９の表面側は、複数本の吊りロープに押し付けられる面となるものであり、平滑な面に形成されている。
【００１６】
このようなロープテンション測定装置６を用いたロープテンション測定は、次のようにして行なわれる。図１および図２において、作業員１０は、乗りかご４上部に乗ってロープテンション測定位置に移動した後、ロープテンション測定装置６を両手で持ち、粘土状物質９側を主ロープ３に向け、主ロープ３を構成する複数本の吊りロープ３ａ，３ｂ，３ｃに同時に押し付ける。この際作業員１０は、粘土状物質９に各吊りロープ３ａ，３ｂ，３ｃが食い込むようにロープテンション測定装置６に対して適当な押し付け力を加える作業を行なう。この押し付け力は、テンションの強い吊りロープが凹部２ａの最深部に到達するか、または最深部に近い位置に近付くまで加え、その後ロープテンション測定装置６を引き戻す。
【００１７】
この作業によりロープテンション測定装置６には、図３に示すように粘土状物質９の表面に、各吊りロープ３ａ，３ｂ，３ｃが食い込んだことによる凹み９ａ，９ｂ，９ｃが塑性変形して形成され、各吊りロープ３ａ，３ｂ，３ｃのテンションの強度に違いがあれば、粘土状物質９には、大きさの異なる凹み９ａ，９ｂ，９ｃが形成されることになる。
【００１８】
図３に示す実施の形態のように、中央の凹み９ｂが他の凹み９ａ，９ｂよりも形状が大きい場合には、中央の吊りロープ３ｂのテンションが強いことを表している。したがってこの場合には、両側の吊りロープ３ａ，３ｃの取付け状態または中央の吊りロープ３ｂの取付け状態を調整することにより、各吊りロープ３ａ，３ｂ，３ｃのテンションの調整を行なう。
【００１９】
次にロープテンション測定装置６の粘土状物質９の表面を平滑な面となるようにならす作業を行なった後、再度ロープテンションの測定を行なう。ロープテンション測定装置６の粘土状物質９に形成される凹み９ａ，９ｂ，９ｃの形状、大きさが均一になるまで、繰り返しロープテンションの測定を行なう。
【００２０】
このようにすれば、複数本の吊りロープ３ａ，３ｂ，３ｃのロープテンションの強度が同時に測定でき、しかも粘土状物質９に形成された凹み９ａ，９ｂ，９ｃの大きさを目視することにより確認することができる。また、ロープテンション測定装置６を押し付ける作業および粘土状物質９の凹み９ａ，９ｂ，９ｃを平らに修復する作業を行なうだけでロープテンション測定を行なうことができ、準備作業を含めて測定作業を簡素化することができる。
【図面の簡単な説明】
【００２１】
【図１】本発明の一実施の形態にかかるエレベータのロープテンション測定装置を用いて主ロープのロープテンションを測定している状態を示す概略構成図である。
【図２】図１の主要部を拡大して示す斜視図である。
【図３】図２に示すロープテンション測定装置の平面図である。
【符号の説明】
【００２２】
１…巻上機
２…ソラセシーブ
３…主ロープ
３ａ，３ｂ，３ｃ…吊りロープ
４…乗りかご
５…釣り合い重り
６…ロープテンション測定装置
７…支持枠
７ａ…凹部
７ｂ…突起
８…ハンドル
９…粘土状物質
９ａ，９ｂ，９ｃ…凹み
１０…作業員
【図１】
2005067835.tif 000003
【図２】
2005067835.tif 000004
【図３】
2005067835.tif 000005